(57)【要約】【課題】  生体情報の計測頻度を向上させ、生体情報の生体データを管理する。【解決手段】  テレビジョン受像システムは、受信部２０２により生体データが受信されると生体データを記憶するＨＤＤ２０６と、ＨＤＤ２０６に記憶された生体データを出力する表示部２０５とを含むテレビジョン受像機２００と、テレビジョン受像機２００に対する操作指示が入力される操作部１１２と、テレビジョン受像機２００と赤外線で通信する送信部１０３と、生体センサ１０７により生体情報を計測して得られる生体データを記憶するメモリ１０２と、操作部１１２により操作指示が入力されることに応じて、入力された操作指示を送信部１０３に送信させる第１送信手段と、メモリ１０２に記憶されている生体データを送信部１０３に所定のタイミングで送信させる第２送信手段とを含むリモートコントローラとを備える。【選択図】        図３
2006255237.tif 000002
【特許請求の範囲】
【請求項１】
テレビジョン受像機とリモートコントローラとを含むテレビジョン受像システムであって、
前記テレビジョン受像機は、
前記リモートコントローラと無線通信して操作指示と生体データとを受信する第１無線通信手段と、
前記第１無線通信手段により生体データが受信されることに応じて、該受信された生体データを記憶する第１記憶手段と、
前記第１記憶手段に記憶された生体データを出力する出力手段とを含み、
前記リモートコントローラは、
前記テレビジョン受像機に対する操作指示が入力される入力手段と、
前記テレビジョン受像機と無線通信する第２無線通信手段と、
操作者の生体情報を測定して生体データを出力する生体センサと、
前記生体センサにより出力された生体データを記憶する第２記憶手段と、
前記入力手段により操作指示が入力されることに応じて、前記入力された操作指示を前記第２無線通信手段に送信させる第１送信手段と、
前記第２記憶手段に記憶されている生体データを前記第２無線通信手段に所定のタイミングで送信させる第２送信手段とを含む、テレビジョン受像システム。
【請求項２】
電気機器に対する操作指示が入力される入力手段と、
前記電気機器と無線通信する無線通信手段と、
前記入力手段により操作指示が入力されることに応じて、前記入力された操作指示を前記無線通信手段に送信させる第１送信手段と、
操作者の生体情報を測定して生体データを出力する生体センサと、
前記生体センサにより出力された生体データを記憶する記憶手段と、
前記記憶手段に記憶されている生体データを前記無線通信手段に所定のタイミングで送信させる第２送信手段とを備えた、リモートコントローラ。
【請求項３】
前記第２送信手段は、前記入力手段により操作指示が入力されることに応じて、前記生体データを前記無線通信手段に送信させる、請求項２に記載のリモートコントローラ。
【請求項４】
操作指示を入力する操作者を識別するための識別手段をさらに備え、
前記記憶手段は、前記生体センサにより出力された生体データを前記識別手段により識別された操作者を特定するための識別情報と関連付けて記憶し、
前記第２送信手段は、前記生体データと前記識別情報とを関連付けて送信させる、請求項２に記載のリモートコントローラ。
【請求項５】
リモートコントローラと無線通信して操作指示と生体データとを受信する無線通信手段と、
前記無線通信手段により生体データが受信されることに応じて、該受信された生体データを記憶する記憶手段と、
前記記憶手段に記憶された生体データを出力する出力手段とを備えた、テレビジョン受像機。
【請求項６】
ネットワークを介して接続された他のコンピュータと通信するための通信手段をさらに備え、
前記出力手段は、前記通信手段に前記記憶手段に記憶された生体データを、前記他のコンピュータに送信させる、請求項５に記載のテレビジョン受像機。
【発明の詳細な説明】
【技術分野】
【０００１】
この発明はテレビジョン受像システム、リモートコントローラおよびテレビジョン受像機に関し、特に、生体データを収集するためのテレビジョン受像システム、リモートコントローラおよびテレビジョン受像機に関する。
【背景技術】
【０００２】
健康管理の観点より、体温、血圧、脈拍および血中酸素濃度などの生体情報は定期的に計測されるのが望ましい。特に年寄はこれらの生体情報を頻繁に計測すべきである。また、医師が治療の目的で、生体情報を必要とすることがある。従来は、生体情報を計測するために、専用の計測器が用いられていた。さらに、計測の都度、その結果を記録しなければならず、煩雑な作業であった。
【０００３】
実用新案登録第３１０３３１８号公報（特許文献１）には、ハウジングと、ハウジング内に設けられて入力信号によって電気装置を遠隔操作するリモコンモジュールと、ハウジング内に設けられて赤外光で体温を測定する体温測定モジュールとを含む、電気装置を遠隔操作するためのリモコンが記載されている。このリモコンでは、それが備える液晶表示装置に測定した体温が表示される。
【０００４】
しかしながら、実用新案登録第３１０３３１８号公報に示されたリモコンでは、測定した体温がリモコン自体に単に表示されるだけであるため、測定データはその場限りのものとなる。このため、過去に測定した体温を閲覧したり、体温の変化の推移を見たりすることはできない。
【特許文献１】実用新案登録第３１０３３１８号公報
【発明の開示】
【発明が解決しようとする課題】
【０００５】
この発明上述した問題点を解決するためになされたもので、この発明の目的の１つは、生体情報の計測頻度を向上させ、生体情報の生体データを管理することが可能なテレビジョン受像システムを提供することである。
【０００６】
この発明の他の目的は、生体情報を測定する頻度を向上させたリモートコントローラを提供することである。
【０００７】
この発明のさらに他の目的は、生体情報の生体データを管理することが可能なテレビジョン受像機を提供することである。
【課題を解決するための手段】
【０００８】
上述した目的を達成するためにこの発明のある局面によれば、テレビジョン受像システムは、テレビジョン受像機とリモートコントローラとを含むテレビジョン受像システムであって、テレビジョン受像機は、リモートコントローラと無線通信して操作指示と生体データとを受信する第１無線通信手段と、第１無線通信手段により生体データが受信されることに応じて、該受信された生体データを記憶する第１記憶手段と、第１記憶手段に記憶された生体データを出力する出力手段とを含み、リモートコントローラは、テレビジョン受像機に対する操作指示が入力される入力手段と、テレビジョン受像機と無線通信する第２無線通信手段と、操作者の生体情報を測定して生体データを出力する生体センサと、生体センサにより出力された生体データを記憶する第２記憶手段と、入力手段により操作指示が入力されることに応じて、入力された操作指示を第２無線通信手段に送信させる第１送信手段と、第２記憶手段に記憶されている生体データを第２無線通信手段に所定のタイミングで送信させる第２送信手段とを含む。
【０００９】
この発明に従えば、テレビジョン受像機を操作するためのリモートコントローラが、生体センサを備えているので、リモートコントローラが操作される度に、その操作者の生体情報を生体センサで計測することができる。このため、生体情報の測定頻度を向上させることができる。また、計測した生体情報の生体データは、テレビジョン受像機に所定のタイミングで送信されるので、生体データをテレビジョン受像機に確実に送信することができる。さらに、テレビジョン受像機では生体データが記憶および出力されるので、測定した生体情報の生体データをテレビジョン受像機で管理することができる。その結果、生体情報の計測頻度を向上させ、生体情報の生体データを効率的に管理することが可能なテレビジョン受像システムを提供することができる。
【００１０】
この発明の他の局面によれば、リモートコントローラは、電気機器に対する操作指示が入力される入力手段と、電気機器と無線通信する無線通信手段と、入力手段により操作指示が入力されることに応じて、入力された操作指示を無線通信手段に送信させる第１送信手段と、操作者の生体情報を測定して生体データを出力する生体センサと、生体センサにより出力された生体データを記憶する記憶手段と、記憶手段に記憶されている生体データを無線通信手段に所定のタイミングで送信させる第２送信手段とを備える。
【００１１】
この発明に従えば、リモートコントローラが生体センサを備えているので、リモートコントローラが操作される度に、その操作者の生体情報を生体センサで計測することができる。このため、生体情報の測定頻度を向上させることができる。また、計測した生体情報の生体データは、電気機器に所定のタイミングで送信されるので、生体データを電気機器に確実に送信することができる。その結果、生体情報の計測頻度を向上させ、生体情報の生体データを確実に送信することが可能なリモートコントローラを提供することができる。
【００１２】
好ましくは、第２送信手段は、入力手段により操作指示が入力されることに応じて、生体データを無線通信手段に送信させる。
【００１３】
この発明に従えば、電気機器に対する操作指示が入力されることに応じて、生体データが送信される。電気機器に対する操作指示が入力される場合、リモートコントローラが通信状態のよい位置に置かれるので、生体データを確実に電気機器に送信することができる。
【００１４】
好ましくは、操作指示を入力する操作者を識別するための識別手段をさらに備え、記憶手段は、生体センサにより出力された生体データを識別手段により識別された操作者を特定するための識別情報と関連付けて記憶し、第２送信手段は、生体データと識別情報とを関連付けて送信させる。
【００１５】
この発明に従えば、操作者が識別されて、生体データが識別情報と関連付けられて記憶および送信される。このため、リモートコントローラの操作者が複数人の場合であっても、生体データを操作者毎に計測して記憶することが可能である。また、生体データが受信される電気機器では、操作者毎に生体データを管理することが可能となる。
【００１６】
この発明のさらに他の局面によれば、テレビジョン受像機は、リモートコントローラと無線通信して操作指示と生体データとを受信する無線通信手段と、無線通信手段により生体データが受信されることに応じて、該受信された生体データを記憶する記憶手段と、記憶手段に記憶された生体データを出力する出力手段とを備える。
【００１７】
この発明に従えば、リモートコントローラから生体データが受信されると、生体データを記憶し、出力する。このため、生体データを管理することが可能なテレビジョン受像機を提供することができる。
【００１８】
好ましくは、ネットワークを介して接続された他のコンピュータと通信するための通信手段をさらに備え、出力手段は、通信手段に記憶手段に記憶された生体データを、他のコンピュータに送信させる。
【００１９】
この発明に従えば、生体データがネットワークに接続された他のコンピュータに送信される。このため、遠隔地にいる者に生体データが送信されるので、遠隔地でリモートコントローラの操作者の体調を確認することができる。
【発明を実施するための最良の形態】
【００２０】
以下、図面を参照しつつ、本発明の実施の形態について説明する。以下の説明では、同一の部品には同一の符号を付してある。それらの名称および機能も同じである。したがってそれらについての詳細な説明は繰返さない。
【００２１】
図１は、本実施の形態におけるテレビジョン受像システムの概略を示す斜視図である。図１を参照して、テレビジョン受像システムは、テレビジョン受像機２００と、リモートコントローラ１００とを含む。テレビジョン受像機２００とリモートコントローラ１００とは赤外光を用いた通信が可能である。具体的には、リモートコントローラ１００から赤外光が発せられ、テレビジョン受像機２００の受光部で受光される、一方向の通信である。
【００２２】
図２は、リモートコントローラの平面図である。図１および図２を参照して、リモートコントローラ１００は、本体にセンサ部１１０を有する。センサ部１１０は、人の指を通すための穴１１１を有する。穴１１１の形状は円柱としているが、指を挿入して生体データを計測できる形状であれば、たとえば、四角柱形状または円錐形状であってもよい。また、穴１１１とすることなく、指を接触することが可能な面であってもよい。面は、平面または指の腹の形状をまねた曲面であってもよい。センサ部１１０には、内部に生体センサとＣＣＤ（Charge Coupled Device）とが内蔵されている。
【００２３】
リモートコントローラ１００は、上面に電源スイッチ１１２Ａ、チャンネル切替スイッチ１１２Ｂ、計測指示スイッチ１１２Ｃ、表示切替スイッチ１１２Ｄおよび表示部１１３とを含む。
【００２４】
電源スイッチ１１２Ａは、テレビジョン受像機２００の電源のオンとオフを切り替えを指示する操作指示を入力するためのスイッチである。チャンネル切替スイッチ１１２Ｂは、テレビジョン受像機２００で受像する放送チャンネルを指定する操作指示を入力するためのスイッチである。計測指示スイッチ１１２Ｃは、センサ部１１０が備える生体センサによる計測の開始を指示する操作指示を入力するためのスイッチである。表示切替スイッチ１１２Ｄは、テレビジョン受像機２００に生体データの表示を指示する表示指示の操作指示を入力するためのスイッチである。表示部１１３は、液晶表示装置であり、生体センサで計測された計測データを表示する。なお、液晶表示装置に代えて、ＬＥＤ（Light Emitting Diode）パネル、エレクトロルミネッセンスなどを用いてもよい。
【００２５】
図３は、本実施の形態におけるテレビジョン受像システムの機能の概略を示す機能ブロック図である。図３を参照して、リモートコントローラ１００は、その全体を制御するための中央演算装置（ＣＰＵ）１０１と、それぞれがＣＰＵ１０１とバス１２０で接続されたメモリ１０２、送信部１０３、生体センサ１０７、操作部１１２、表示部１１３、識別部１０５と、識別部１０５に接続されたＣＣＤ１０６とを含む。
【００２６】
生体センサ１０７は、体温計、血圧計、脈拍計および血中酸素濃度計を含み、センサ部１１０に挿入された指から体温、血圧、脈拍、血中酸素濃度を計測して計測値を出力する。ここでは、人の体温、血圧、脈拍、血中酸素濃度を生体情報といい、体温計、血圧計、脈拍計および血中酸素濃度計で生体情報を計測して出力される計測値を生体データという。ＣＣＤ１０６は、センサ部１１０に挿入された指の指紋を読み取り、読み取って得られる画像データを識別部１０５に出力する。識別部１０５は、ＣＣＤ１０６から入力される指紋の画像データを、メモリ１０２に予め記憶された画像データと比較する。この比較にはパターン認識が行われる。識別部１０５は、ＣＣＤ１０６から入力される画像データとパターンが一致する画像データが存在する場合には、メモリ１０２に予め記憶された画像データに付された識別番号で、その指紋のユーザを特定する。メモリ１０２に一致する画像データが存在しない場合には、ＣＣＤ１０６から入力される画像データが、新たなユーザの指紋の画像データとして、新たな識別番号を付してメモリ１０２に記録される。このようにして、リモートコントローラ１００は、センサ部１１０に指を挿入したユーザを特定する。
【００２７】
なお、ここでは、識別部１０５でＣＣＤ１０６から入力された画像データとメモリ１０２に予め記憶された画像データとを比較するようにしたが、操作部１１２から入力された識別番号でユーザを特定するようにしてもよい。この場合、識別部１０５およびＣＣＤ１０６は不要である。
【００２８】
メモリ１０２は、ＥＥＰＲＯＭ（Electronically Erasable
and Programmable Read Only Memory）であり、後述する生体データ、ユーザデータを記憶する。
【００２９】
操作部１１２は、リモートコントローラ１００の上面に設けられた電源スイッチ１１２Ａ、チャンネル切替スイッチ１１２Ｂ、計測指示スイッチ１１２Ｃ、表示切替スイッチ１１２Ｄを含み、それらが押下されることに応じて、各スイッチに対応する操作指示をＣＰＵ１０１に出力する。これにより、ＣＰＵ１０１は、いずれの操作指示が入力されたかを認識する。
【００３０】
送信部１０３は、ＣＰＵ１０１からの指示に応じて、ＣＰＵ１０１から受信される信号を赤外光に変換して出力する。送信部１０３から出力され赤外光は、後述するテレビジョン受像機２００の受信部２０２で受光される。なお、本実施の形態においては、リモートコントローラ１００とテレビジョン受像機２００との通信を、リモートコントローラ１００から赤外光を出力し、テレビジョン受像機で受光する一方向の通信としたが、通信媒体としては赤外光に限らず電磁波を用いてもよい。または、無線通信に限らず、有線の通信であってもよい。さらに、一方向の通信に限らず、双方向の通信を適用してもよい。
【００３１】
テレビジョン受像機２００は、その全体を制御するための中央演算装置（ＣＰＵ）２０１と、それぞれがＣＰＵ２０１とバス２１０で接続されたチューナ２０３、ＡＶ（オーディオビデオ）デコーダ／エンコーダ２０４、受信部２０２、通信インターフェイス２０７、ハードディスクドライブ（ＨＤＤ）２０６および表示部２０５を含む。
【００３２】
受信部２０２は、上述したリモートコントローラ１００の送信部１０３が出力した赤外光を受光し、受光した赤外光を電気信号に変換してＣＰＵ２０１に出力する。
【００３３】
ＨＤＤ２０６は、磁気記録装置であり、ＣＰＵ２０１により制御されて、データを記録する。チューナ２０３は、図示しないアンテナで受信されたテレビジョン放送の放送信号のうちからＣＰＵ２０１で指定されたチャンネルの放送信号を選択して、その放送信号を表示部２０５およびＡＶデコーダ／エンコーダに出力する。
【００３４】
ＡＶデコーダ／エンコーダ２０４は、チューナ２０３から入力されるアナログのテレビジョン放送信号を符号化して、ＨＤＤ２０６に記録する。また、ＨＤＤ２０６に記録されているデジタルの符号化データを復号して、アナログのビデオ信号を表示部２０５に出力する。すなわち、本実施の形態におけるテレビジョン受像機は、ビデオ記録再生機能を有する。なお、ビデオ記録再生機能はなくてもよく、その場合にはＡＶデコーダ／エンコーダは不要である。
【００３５】
表示部２０５は、液晶表示装置、プラズマディスプレイパネルまたは陰極線管（ＣＲＴ）である。表示部２０５は、ＣＰＵ２０１により制御されて、テレビジョン番組の表示をしている最中に、ＣＰＵ２０１から出力されるデータを重畳して表示することが可能である。一般的にこのデータの表示機能は、オンスクリーンディスプレイ（ＯＳＤ）機能として知られている。
【００３６】
通信インターフェイス２０７は、テレビジョン受像機２００をインターネットに接続するためのインターフェイスである。これにより、ＣＰＵ２０１は、インターネット２１１を介して、病院に設置されたパーソナルコンピュータ（ＰＣ）２１２と通信が可能である。さらに、インターネット２１１に接続された基地局２１３を介して携帯電話２１４と通信が可能となる。なお、通信インターフェイス２０７は、一般公衆回線に接続するためのモデムであってもよく、ローカルエリアネットワーク（ＬＡＮ）に接続するための通信回路であってもよい。
【００３７】
図４は、本実施の形態におけるリモートコントローラ１００で実行される計測処理の流れを示すフローチャートである。この計測処理は、ＣＰＵ１０１で実行される処理である。計測処理では、まず、計測指示が入力されたか否かが判断される（ステップＳ０１）。計測指示が入力された場合にはステップＳ０２に進み、そうでない場合には待機状態となる。なお、待機状態とするのではなく、計測指示の入力により割り込みを発生させるようにしてもよい。このように、計測処理は、計測指示が入力されることを条件に実行される処理である。計測指示の入力は、リモートコントローラ１００の上面に設けられた計測指示スイッチ１１２Ｃが押下されることにより、操作部１１２で検出される。
【００３８】
ステップＳ０２では、指紋が読み取られる。指紋の読み取りは、操作部１１２で計測指示スイッチ１１２Ｃが押下されたことが検出されることに応じて、ＣＣＤ１０６で読み取られる。したがって、ＣＣＤ１０６で読み取りが開始される前に、センサ部１１０に指が挿入されていることが必要である。このため、計測指示スイッチ１１２Ｃが押下されてからＣＣＤ１０６で指紋が読み取られるまでに、所定の間隔を取るのが好ましい。ユーザに指を挿入するための猶予を与えるためである。
【００３９】
なお、ユーザがセンサ部１１０に指を挿入したことを検出するために、たとえば、圧力センサや赤外線センサを設ける場合は、そのセンサで指が挿入されていることの検出を、計測指示の入力としてもよい。この場合には、計測指示スイッチ１１２Ｃは不要となる。さらに、計測指示スイッチ１１２Ｃで指を挿入したことを検出するようにしてもよい。たとえば、計測スイッチ１１２Ｃを、センサ部１１０の内部の指を挿入することにより計測指示スイッチ１１２Ｃがオンとなる位置に設ければよい。
【００４０】
そして、ＣＣＤ１０６の出力する指紋の画像データと、メモリ１０２に予め記憶されている画像データとが比較される。メモリ１０２には、ユーザデータが記憶されている。図５は、ユーザデータの一例を示す図である。図５を参照して、ユーザデータは、ユーザごとに与えられる識別番号と、そのユーザの指紋を撮影して得られる画像データとを関連付けたデータである。識別番号は、指紋の画像データが登録される順に付される連番としている。最初に指紋の画像データが登録される操作者の識別番号は「１」とされ、次に指紋の画像データが登録される操作者の識別番号は「２」とされる。
【００４１】
図４に戻って、ステップＳ０３では、ＣＣＤ１０６の出力する画像データに一致する画像データがユーザデータに存在するか否かが判断される。存在する場合にはステップＳ０５に進む。ステップＳ０５では、一致した画像データと関連付けてユーザデータに記憶されている識別番号が取得される。
【００４２】
ステップＳ０３において、一致する画像データがユーザデータに存在しないとされた場合には、ステップＳ０４に進む。ステップＳ０４では、新規登録処理が実行される。新規登録処理は、ＣＣＤ１０６が出力する画像データと、新たに付された識別番号とを関連付けてユーザデータに追加する処理である。新たに付される識別番号は、ユーザデータに存在する識別番号とは異なる番号であればよい。ここでは、識別番号を「１」からはじまる連番としているので、もっとも大きな値の識別番号に「１」を加算した値を新たに付される識別番号とすればよい。次のステップＳ０５では、新たに付された識別番号が取得されることになる。
【００４３】
なお、ＣＣＤ１０６と識別部１０５とが存在しない場合には、ステップＳ０２からステップＳ０４の処理に代えて、ユーザに識別番号を操作部１１２に入力させる処理を行えばよい。具体的には、計測指示スイッチ１１２Ｃが押下された後、押下されたチャンネル切替スイッチ１１２Ｂにより定まる番号を識別番号とすればよい。この際、表示部１１３に識別番号の入力を促すメッセージ、たとえば「識別番号を入力してください」を表示するようにしてもよい。この場合には、ユーザデータをメモリ１０２に記憶しておく必要はない。
【００４４】
ステップＳ０６では、生体情報が計測される。ここでは、生体情報として、体温、血圧、脈拍および血中酸素濃度が計測される。そして、ステップＳ０７では、計測された生体情報の生体データと識別番号とを関連付けた計測データがメモリに記憶される。そして、ステップＳ０８では、表示部１１３にステップＳ０６で計測されて得られる生体データが表示される。
【００４５】
図６は、メモリに記憶される計測データの一例を示す図である。図６を参照して、計測データは、識別番号、年月日、時刻、体温、血圧、脈拍および血中酸素濃度を関連付けたデータである。識別番号には、ステップＳ０５で取得された識別番号が記憶され、年月日および時刻には、ステップＳ０６で生体データが計測された時点の年月日および時刻が記憶され、体温、血圧、脈拍、血中酸素濃度には、ステップＳ０６で生体情報を計測して得られた生体データが記憶される。
【００４６】
ユーザは、リモートコントローラ１００を操作する際に、計測指示スイッチ１１２Ｃを押下してセンサ部１１０に指を挿入するという簡単な操作で、生体情報が計測される。このため、生体情報を計測する頻度を向上させることができる。また、生体情報を計測して得られる生体データは、表示部１１３に表示されるので、ユーザは計測結果を直ちに確認することができる。さらに、生体情報を計測して得られる生体データは、メモリ１０２に記憶されるので、計測後すぐに失われることはない。
【００４７】
図７は、リモートコントローラで実行される送信処理の流れを示すフローチャートである。この送信処理は、ＣＰＵ１０１で実行される処理である。送信処理では、まず、テレビジョン受像機２００に対する操作指示が入力されたか否かが判断される（ステップＳ１１）。操作指示が入力された場合にはステップＳ１２に進み、そうでない場合には待機状態となる。なお、待機状態とするのではなく、操作指示の入力により割り込みを発生させるようにしてもよい。このように、送信処理は、テレビジョン受像機２００に対する操作指示が入力されることを条件に実行される処理である。
【００４８】
テレビジョン受像機２００に対する操作指示の入力は、リモートコントローラ１００の上面に設けられた電源スイッチ１１２Ａ、チャンネル切替スイッチ１１２Ｂおよび表示切替スイッチ１１２Ｄのいずれかが押下されることにより、操作部１１２で検出される。すなわち、テレビジョン受像機に対する操作指示には、電源スイッチ１１２Ａの押下に伴う電源のオンとオフの切替操作指示、チャンネル切替スイッチ１１２Ｂの押下に伴うチャンネルの切替操作指示、表示切替スイッチ１１２Ｄの押下に伴う表示切替操作指示が含まれる。なお、これらの操作指示の他、リモートコントローラ１００からテレビジョン受像機２００の動作を切り替えるための指示が可能である場合には、それらの指示の入力であってもよい。
【００４９】
ステップＳ１２では、メモリ１０２に計測データが記憶されているか否かが判断される。記憶されている場合にはステップＳ１３に進み、記憶されていない場合にはステップＳ１７に進む。メモリ１０２に計測データが記憶されていない場合には、計測データを送信する必要がないからである。
【００５０】
ステップＳ１３では、メモリ１０２から計測データを読み出す。そしてステップＳ１４で、送信部１０３に読み出した計測データをテレビジョン受像機２００へ送信させる。ユーザは、リモートコントローラ１００を用いてテレビジョン受像機２００を操作する場合、赤外光がテレビジョン受像機２００で受信されやすいように、リモートコントローラ１００の位置を決めるのが通常である。リモートコントローラの位置は、リモートコントローラ１００の赤外光発光部がテレビジョン受像機２００に向かう方向である。したがって、リモートコントローラ１００からテレビジョン受像機２００の動作を切り替えるための操作指示が入力されたことを条件に、計測データが送信されるので、計測データを高い確率でテレビジョン受像機２００に送信することができる。
【００５１】
ステップＳ１５では、計測データの送信が終了したか否かが判断される。送信が終了した場合にはステップＳ１６に進み、終了していない場合にはステップＳ１３に戻る。メモリ１０２に記憶されている計測データのすべてを送信するためである。
【００５２】
ステップＳ１６では、ステップＳ１４で送信した計測データをメモリ１０２から消去する。これにより、メモリ１０２に必要以上に計測データが記憶されることがなく、メモリ１０２の記憶容量を少なくすることができる。
【００５３】
次のステップＳ１７では、ステップＳ１１で入力された操作指示に対応する操作コードが送信部１０３からテレビジョン受像機２００に送信される。これにより、テレビジョン受像機２００では、ユーザがリモートコントローラ１００を用いて入力した操作指示に伴う動作が実行される。テレビジョン受像機２００で実行される操作指示に伴う動作とは、たとえば、電源のオンとオフの切替、チャンネルの切替、表示の切替である。
【００５４】
なお、ステップＳ１３〜Ｓ１５では、メモリ１０２に記憶されている計測データのすべてを送信するようにしたが、一度に送信することが可能な計測データのデータ量を予め定めておいてもよい。この場合には、予め定められたデータ量の計測データだけがメモリ１０２から読み出されて送信される。ステップＳ１６では、送信された計測データだけがメモリ１０２から消去される。送信されなかった残りのデータは、メモリ１０２に記憶されているので、次にテレビジョン受像機２００に対する操作指示が入力されて送信処理が実行される際に送信されることになる。このようにすることで、ユーザがテレビジョン受像機２００に対する操作指示を入力してからテレビジョン受像機２００が入力された操作指示に対する動作を実行するまでのレスポンスタイムがあまりにも長くなるのを防止することができる。
【００５５】
図８は、テレビジョン受像機で実行される遠隔操作処理の流れを示すフローチャートである。この遠隔操作処理は、ＣＰＵ２０１で実行される処理である。遠隔操作処理では、まず、受信部２０２でデータが受信されたか否かが判断される。リモートコントローラ１００からデータが受信された場合には、ステップＳ２２に進み、そうでない場合には待機状態となる。なお、待機状態とするのではなく、データの受信により割り込みを発生させるようにしてもよい。すなわち、遠隔操作処理は、リモートコントローラ１００からデータが受信されることを条件に実行される処理である。
【００５６】
ステップＳ２２では、受信されたデータが計測データか否かが判断される。計測データの場合にはステップＳ２３に進み、そうでない場合にはステップＳ２９に進む。ステップＳ２３では、受信した計測データをＨＤＤに記憶する。次のステップＳ２４では、データの解析が行われる。データの解析は、受信された計測データについて、その計測データに異常な値が含まれるか否かを解析する。具体的には、体温、血圧、脈拍、血中酸素濃度それぞれは、正常な範囲が医学的に定められている。したがって、受信された計測データに含まれる体温、血圧、脈拍、血中酸素濃度のうちの１つでも正常な範囲にないものがあれば、異常と判定する。
【００５７】
また、生体データには、個人差があるため、これまでに記憶された生体データを用いて、異常を判定するようにしてもよい。具体的には、ステップＳ２４の処理が実行される前までに、ＨＤＤ２０６に記憶されている計測データを利用する。ＨＤＤ２０６から読み出す計測データは、受信された計測データに含まれる識別番号と同じ識別番号と関連付けられたデータである。そして、読み出された計測データから生体データ（体温の値、血圧の値、脈拍の値、血中酸素濃度の値）のそれぞれの平均値を算出し、算出したそれぞれの平均値と受信された計測データの生体データとを比較する。比較の結果、生体データと平均値との差が予め定めたしきい値を超える場合に異常と判定する。このしきい値は、生体データごとに異なる値とすれば、正確な判定をすることができる。
【００５８】
ステップＳ２５では、ステップＳ２４で実行されたデータ解析の結果が判定される。異常と判定された場合にはステップＳ２６に進み、そうでない場合にはステップＳ２９に進む。ステップＳ２６では、電子メールが作成される。作成される電子メールの送信先は、ＨＤＤ２０６に識別番号ごとに予め登録しておけばよい。たとえば、病人または老人であればその保護者の携帯電話の電子メールアドレス、担当医師の電子メールアドレスなどにすればよい。また、電子メールの本文には、受信された計測データ、異常と判断された生体データの種類とその値を含めればよい。ステップＳ２７では、作成した電子メールを通信インターフェイス２０７からインターネット２１１に接続されたメールサーバに送信する。
【００５９】
次のステップＳ２８では、オンスクリーンディスプレイ機能を用いて表示部２０５に警告メッセージを表示する。警告メッセージは、生体データが異常な値であることを通知するものであればよい。たとえば、「血圧が高くなっています。血圧１８０／１６０」。また、チャンネルの視聴を抑制するメッセージであってもよい。たとえば、「血圧が高くなっています。興奮するテレビ番組の視聴はご遠慮ください。」等である。
【００６０】
次のステップＳ２９では、ステップＳ２１で受信されたデータが表示指示か否かが判断される。表示指示が受信された場合にはステップＳ３０に進み、そうでない場合にはステップＳ３３に進む。表示指示とは、ＨＤＤ２０６に記憶されている計測データの表示を指示する操作指示である。この表示指示は、リモートコントローラ１００で表示切替スイッチ１１２Ｄが押下された場合にリモートコントローラ１００から送信され、受信部２０２で受信される。
【００６１】
ステップＳ３０では、生体データに統計処理が施される。具体的には、ステップＳ３０の処理が実行される前までに、ＨＤＤ２０６に記憶されている計測データが読み出される。読み出される計測データは、識別番号ごとに統計処理が施される。統計処理は、たとえば、平均値の算出、変動幅等の算出である。また、計測データに含まれる年月日および時刻情報と、インターネット２１１に接続された番組表サーバから受信される番組表データとを用いて、番組ごとに生体データの平均値、変動幅等を算出してもよい。たとえば、バラエティ番組を視聴しているときの生体データの値と、ドラマを視聴しているときの生体データの値とを比較することができる。
【００６２】
そして、統計処理により算出された値から表示用データが作成される（ステップＳ３１）。表示用データは、表形式であってもよく、グラフ形式であってもよい。また、期間を限定して値の推移を表示するものであってもよい。ステップＳ３２では、作成された表示用データが表示部２０５に表示される。表示部２０５への表示は、表示用データのみを表示するようにしてもよいし、現在表示されている画像に重畳して表示するＯＳＤ機能を用いて表示してもよい。
【００６３】
次のステップＳ３３では、ステップＳ２１で受信されたデータがチャンネル切替の操作指示か否かが判断される。チャンネル切替の操作指示が受信された場合にはステップＳ３４に進み、そうでない場合には処理を終了する。チャンネル切替の操作指示は、リモートコントローラ１００でチャンネル切替スイッチ１１２Ｂが押下された場合にリモートコントローラ１００から送信され、受信部２０２で受信される。
【００６４】
ステップＳ３４では、受信されたチャンネル切替の操作指示にしたがって、チューナ２０３で選択するチャンネルを切り替える。
【００６５】
以上説明したように、本実施の形態におけるテレビジョン受像システムでは、リモートコントローラ１００が生体センサ１０７を備えるので、操作者はリモートコントローラを操作する度に、その操作者の生体情報を生体センサ１０７で計測することができる。このため、生体情報の測定頻度を向上させることができる。また、計測した生体情報の生体データは、テレビジョン受像機２００に対する操作指示が入力されると送信されるので、生体データを電気機器に確実に送信することができる。
【００６６】
また、テレビジョン受像機２００では、リモートコントローラ１００から受信された生体データが異常な値である場合に、操作者の生体情報が異常であることを知らせる電子メールを作成して、予め登録された電子メールアドレスに送信する。このため、操作者と離れた場所にいる者に、操作者の生体情報が異常であることをしらせることができる。
【００６７】
さらに、テレビジョン受像機２００では、リモートコントローラ１００から受信された生体データを記憶し、統計処理を施して表示するので、生体情報の変化などを見やすく表示することができる。
【００６８】
（１）  上述した実施の形態におけるリモートコントローラは、
電気機器に対する操作指示が入力される入力手段と、
前記電気機器と無線通信する無線通信手段と、
前記入力手段により操作指示が入力されることに応じて、前記入力された操作指示を前記無線通信手段に送信させる第１送信手段と、
操作者の生体情報を測定して生体データを出力する生体センサと、
前記生体センサにより出力された生体データを表示する表示手段と、
前記生体センサにより出力された生体データを記憶する記憶手段と、
前記記憶手段に記憶されている生体データを前記無線通信手段に送信させる第２送信手段とを備え、
前記第２送信手段は、前記無線通信手段により前記操作に対応する情報が送信される前に、前記無線通信手段に前記生体データを送信させる。
【００６９】
このリモートコントローラは、電気機器に対する操作指示が入力されると、その操作指示が電気機器に送信される前に生体データが送信される。電気機器に対する操作指示をリモートコントローラにする場合、通常、リモートコントローラから送信される信号が電機器で受信されやすいようにリモートコントローラの位置が定められる。したがって、リモートコントローラに操作の入力がされた後、操作に対応する情報が送信される前に生体データを送信するので、リモートコントローラから送信される信号が電機器で受信されやすい状態で生体データが送信され、生体データを確実に送信させることができる。
【００７０】
（２）テレビジョン受像機は、
リモートコントローラと無線通信して操作指示と生体データとを受信する無線通信手段と、
前記無線通信手段により生体データが受信されることに応じて、該受信された生体データを記憶する記憶手段と、
前記記憶手段に記憶された生体データを出力する出力手段と、
前記記憶手段に記憶された生体データを解析する解析手段と、
ネットワークを介して接続された他のコンピュータと通信するための通信手段とを備え、
前記出力手段は、前記解析手段による解析結果が異常となったことを条件に、前記通信手段に予め定められた送信先に警告を送信させる。
【００７１】
このテレビジョン受像機は、生体データを解析した結果が異常となった場合に、予め定められた送信先に警告を送信するので、操作者の異常を遠隔にいる者に知らせることが可能となる。
【００７２】
（３）（２）において、
前記解析手段は、前記生体データが予め定めた範囲にない場合に異常と判断する判断手段を含む。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７４】
【図１】本実施の形態におけるテレビジョン受像システムの概略を示す斜視図である。
【図２】リモートコントローラの平面図である。
【図３】本実施の形態におけるテレビジョン受像システムの機能の概略を示す機能ブロック図である。
【図４】本実施の形態におけるリモートコントローラ１００で実行される計測処理の流れを示すフローチャートである。
【図５】ユーザデータの一例を示す図である。
【図６】メモリに記憶される計測データの一例を示す図である。
【図７】リモートコントローラで実行される送信処理の流れを示すフローチャートである。
【図８】テレビジョン受像機で実行される遠隔操作処理の流れを示すフローチャートである。
【符号の説明】
【００７５】
１００  リモートコントローラ、１０２  メモリ、１０３  送信部、１０５  識別部、１０６  ＣＣＤ、１０７  生体センサ、１１０  センサ部、１１１  穴、１１２  操作部、１１２Ａ  電源スイッチ、１１２Ｂ  チャンネル切替スイッチ、１１２Ｃ  計測指示スイッチ、１１２Ｄ  表示切替スイッチ、１１３  表示部、１２０  バス、２００  テレビジョン受像機、２０２  受信部、２０３  チューナ、２０４  ＡＶデコーダ／エンコーダ、２０５  表示部、２０７  通信インターフェイス、２１０  バス、２１１  インターネット、２１３  基地局、２１４  携帯電話。
【図１】
2006255237.tif 000003
【図２】
2006255237.tif 000004
【図３】
2006255237.tif 000005
【図４】
2006255237.tif 000006
【図５】
2006255237.tif 000007
【図６】
2006255237.tif 000008
【図７】
2006255237.tif 000009
【図８】
2006255237.tif 000010